(57)【要約】海水吸引ホース（５０）のためのホースセクション（１０）及び海水吸引ホース（５０）を組み立てる方法を提供する。ホースセクション（１０）は、補助ホースセクション（２０）を取り付けるための取付け手段（１８）を備える。海水吸引ホース（５０）を組み立てる方法は、それぞれが補助ホースセクション（２０）を取り付けるようにするための取付け手段（１８）を有する、少なくとも２個の海水ホースセクション（１０）を準備するステップと、補助ホースセクション（２０）を各海水ホースセクション（１０）に取り付けるステップと、補助ホースセクション（２０）を互いに連結するステップと、海水ホースセクション（１０）を互いに連結するステップとを有する。【選択図】図８
2017532504.tif 000002
【特許請求の範囲】
【請求項１】
海水吸引ホースにおいて、
補助ホースセクションを取り付けるための複数個の取付け手段を有する少なくとも１個のホースセクションであって、前記取付け手段を前記ホースセクションの端部に隣接して配置し、各取付け手段は、前記補助ホースセクションを取り付けるための少なくとも１個の固着孔を有するものとし、前記複数個の取付け手段のそれぞれは、保護コーティングを有するものとする、該少なくとも１個のホースセクションと、
前記ホースセクションの一方の端部に連結する吸引ホースヘッドと、
前記ホースセクションの他方の端部に連結する吸引ストレーナであって、さらに、第１流体入口、第１流体通路及び第１流体出口を持つ少なくとも第１ストレーナ部材と、並びに第２流体入口、第２流体通路及び第２流体出口を持つ第２ストレーナ部材と、を有し、前記第１ストレーナ部材及び前記第２ストレーナ部材は、流体的に分離された構造を有し、前記第１ストレーナ部材は前記ホースセクションの前記他方の端部に連結するよう構成して、前記第１及び第２の流体入口が前記ホースセクションの長手方向軸線に沿って隣接するよう配置し、また前記第１及び第２の流体出口が前記ホースセクションの前記他方の端部に流体的に接続可能な複合出口インタフェースをなす少なくとも２段式ストレーナ構成を形成する、該吸引ストレーナと、
を備える、海水吸引ホース。
【請求項２】
請求項１記載の海水吸引ホースにおいて、前記吸引ストレーナは、さらに、第３流体入口、第３流体通路及び第３流体出口を持ち、前記第１及び第２のストレーナ部材とは流体的に分離された構造を有する、少なくとも第３のストレーナ部材を有し、前記第３ストレーナ部材は、前記ホースセクションの前記他方の端部に接続するよう構成して、前記第１、第２及び第３の流体入口が前記ホースセクションの長手方向軸線に沿って隣接するよう配置し、また前記第１、第２及び第３の流体出口が前記ホースセクションの前記他方の端部に流体的に接続可能な複合出口インタフェースをなす３段式ストレーナ構成を形成する、海水吸引ホース。
【請求項３】
請求項１又は２記載の海水吸引ホースにおいて、前記第１ストレーナ部材は、前記第２ストレーナ部材と嵌合し、前記長手方向軸線に沿って積層体を形成する構成とする、海水吸引ホース。
【請求項４】
請求項２又は３記載の海水吸引ホースにおいて、前記第２ストレーナ部材は、前記第３ストレーナ部材と嵌合し、前記長手方向軸線に沿って積層体を形成する構成とする、海水吸引ホース。
【請求項５】
請求項１〜４のうちいずれか一項記載の海水吸引ホースにおいて、前記取付け手段は、前記ホースセクションの内部流体通路内に取り付けるものとする、海水吸引ホース。
【請求項６】
請求項１〜４のうちいずれか一項記載の海水吸引ホースにおいて、前記取付け手段は、前記ホースセクションの外部に取り付ける、海水吸引ホース。
【請求項７】
請求項１〜６のうちいずれか一項記載の海水吸引ホースにおいて、さらに、前記ホースセクションの前記取付け手段に固定した少なくとも１個の補助ホースセクションを備える、海水吸引ホース。
【請求項８】
請求項７記載の海水吸引ホースにおいて、前記補助ホースセクションは、前記吸引ストレーナ及び前記吸引ホースヘッドにも固定する、海水吸引ホース。
【請求項９】
請求項７又は８記載の海水吸引ホースにおいて、前記補助ホースセクションは、次亜塩素酸塩供給ホースとする、海水吸引ホース。
【請求項１０】
請求項１〜９のうちいずれか一項記載の海水吸引ホースにおいて、前記海水吸引ホースは複数個のホースセクションを有する、海水吸引ホース。
【請求項１１】
請求項１〜６のうちいずれか一項記載の海水吸引ホースにおいて、前記海水吸引ホースは複数個の補助ホースセクションを有する、海水吸引ホース。
【請求項１２】
請求項１〜１１のうちいずれか一項記載の海水吸引ホースにおいて、前記取付け手段は前記ホースセクションのニップルに配置する、海水吸引ホース。
【請求項１３】
請求項１〜１２のうちいずれか一項記載の海水吸引ホースにおいて、前記取付け手段は前記ホースセクションに溶接する、海水吸引ホース。
【請求項１４】
請求項１〜１３のうちいずれか一項記載の海水吸引ホースにおいて、前記保護コーティングは弾性を有する、海水吸引ホース。
【請求項１５】
請求項１〜１４のうちいずれか一項記載の海水吸引ホースにおいて、前記保護コーティングはゴムとする、海水吸引ホース。
【請求項１６】
請求項１〜１５のうちいずれか一項記載の海水吸引ホースにおいて、前記ホースセクションは、さらに、各端部に連結手段を有する、海水吸引ホース。
【請求項１７】
請求項１６記載の海水吸引ホースにおいて、前記連結手段は保護コーティングを有する、海水吸引ホース。
【請求項１８】
請求項１〜１７のうちいずれか一項記載の海水吸引ホースにおいて、前記ホースセクションは可撓性を有する、海水吸引ホース。
【請求項１９】
海水吸引ホースシステムにおいて、
少なくとも１個のケーソンと、
請求項１〜１８のうちいずれか一項記載の少なくとも１個の海水吸引ホースと、
を備え、前記ケーソンは、前記ホースを懸吊状態に収容し、かつ保持するよう構成する、海水吸引ホースシステム。
【請求項２０】
請求項１９記載の海水吸引ホースシステムにおいて、さらに、前記ケーソンと前記海水吸引ホースとの間におけるケーソンインタフェースを備える、海水吸引ホースシステム。
【請求項２１】
請求項１９又は２０記載の海水吸引ホースシステムにおいて、前記ケーソンは、組立て中に前記ホースセクションを選択的に固定し得る懸架装置を有する、海水吸引ホースシステム。
【請求項２２】
請求項２１記載の海水吸引ホースシステムにおいて、前記懸架装置は、現場にあるとき前記ケーソンの頂端部に取外し可能に連結できるものとする、海水吸引ホースシステム。
【請求項２３】
請求項２１又は２２記載の海水吸引ホースシステムにおいて、前記懸架装置は、前記ホースセクションにロック可能に係合し得るばね動作機構を有する、海水吸引ホースシステム。
【請求項２４】
請求項２１〜２３のうちいずれか一項記載の海水吸引ホースシステムにおいて、前記懸架装置は、さらに、前記ホースセクションの外径間における所定相違を補償するよう構成したホースセクションアダプタを有する、海水吸引ホースシステム。
【請求項２５】
請求項１９〜２４のうちいずれか一項記載の海水吸引ホースシステムにおいて、前記海水吸引ホースシステムはＦＰＳＯ船に取り付けるよう構成する、海水吸引ホースシステム。
【請求項２６】
請求項１９〜２５のうちいずれか一項記載の海水吸引ホースシステムにおいて、前記海水吸引ホースシステムはＦＰＳＯ船の船殻内に形成するよう構成する、海水吸引ホースシステム。
【請求項２７】
請求項１９〜２６のうちいずれか一項記載の海水吸引ホースシステムを備える、ＦＰＳＯ船。
【請求項２８】
海水吸引ホースを組み立てる方法において、
それぞれが補助ホースセクションを取り付けるための取付け手段を有する、少なくとも２個の海水ホースセクションを準備するステップと、
補助ホースセクションを前記海水ホースセクションそれぞれに取り付けるステップと、
前記補助ホースセクションを互いに連結するステップと、
前記海水ホースセクションを互いに連結するステップと
を有する、方法。
【請求項２９】
請求項２８記載の海水吸引ホースを組み立てる方法において、前記補助ホースセクションは次亜塩素酸塩供給ホースとする、方法。
【請求項３０】
海水吸引ホースを組み立てる方法において、
補助ホースセクションを取り付けるための取付け手段を有する、少なくとも１個の海水ホースセクションを準備するステップと、
補助ホースセクションを前記海水ホースセクションに取り付けるステップと、
吸引ホースヘッドを前記海水ホースセクションの一方の端部に連結するステップと、
吸引ストレーナを前記海水ホースセクションの他方の端部に連結するステップと、
前記補助ホースセクションを前記吸引ストレーナ及び前記吸引ホースヘッドに連結するステップと
を有する、方法。
【請求項３１】
請求項３０記載の海水吸引ホースを組み立てる方法において、前記補助ホースセクションは次亜塩素酸塩供給ホースとする、方法。
【発明の詳細な説明】
【技術分野】
【０００１】
本発明は、ホースセクション（ホース部分品）、とくに、限定しないが海水吸引ホースシステムのホースセクション、及び海水吸引ホースを組み立てる方法に関する。
【背景技術】
【０００２】
浮体式生産貯蔵積出（ＦＰＳＯ：Floating Production Storage and Offloading）船に設置されるような従来型海水吸引ホースシステムは、一般的に複数のホース及びケーソンを備える。各ホースは、一般的に順次相互連結して連続したホースを形成する複数個のホースセクションを備える。連続ホースは、ＦＰＳＯ船におけるケーソンと組み合わせて海水吸引システムを形成する。
【０００３】
ホースの自由端には、ホース内に引き込む海水を濾し取る吸引ストレーナを装着する。吸引ストレーナには次亜塩素酸塩分散リングを装着し、この次亜塩素酸塩分散リングを使用してホースで海水を引き込むとき吸引ストレーナの周りに次亜塩素酸塩を分散する。次亜塩素酸塩の分散によりＦＰＳＯ船の吸引システム及び関連配管における海洋生物増殖を防止する。
【発明の概要】
【発明が解決しようとする課題】
【０００４】
次亜塩素酸塩を分散リングに供給するためには、ホース内に次亜塩素酸塩供給ラインを設ける必要がある。次亜塩素酸塩供給ラインは、複数個のラインセクションから構成される。
【０００５】
次亜塩素酸塩供給ラインの破損を防止するためには、各ラインセクションをホース内に固定する必要がある。このことは、各ホースセクション間に複数個のホースアダプタを設けることによって達成される。各ホースアダプタは、各次亜塩素酸塩ラインセクションを固定するための内部マウントをなす。各ホースセクション間にホースアダプタを設置することはコストがかかり、またホースの組立て時間も増加する。さらに、各ホースセクション間にホースアダプタが存在することは、潜在的腐食可能性及び潜在的ホース内漏洩ポイントの数を増大させる。
【０００６】
本発明の目的は、改善したホースセクションを備える改良した海水吸引ホースシステム、及び上述の欠点の１つ又は複数を回避又は軽減する海水吸引ホースを組み立てる方法を得るにある。
【課題を解決するための手段】
【０００７】
本発明の第１態様によれば、海水吸引ホースを提供し、この本発明海水吸引ホースは、
補助ホースセクションを取り付けるための複数個の取付け手段を有する少なくとも１個のホースセクションであって、前記取付け手段を前記ホースセクションの端部に隣接して配置し、各取付け手段は、前記補助ホースセクションを取り付けるための少なくとも１個の固着孔を有するものとし、前記複数個の取付け手段のそれぞれは、保護コーティングを有するものとする、該少なくとも１個のホースセクションと、
前記ホースセクションの一方の端部に連結する吸引ホースヘッドと、
前記ホースセクションの他方の端部に連結する吸引ストレーナであって、さらに、第１流体入口、第１流体通路及び第１流体出口を持つ少なくとも第１ストレーナ部材と、並びに第２流体入口、第２流体通路及び第２流体出口を持つ第２ストレーナ部材と、を有し、前記第１ストレーナ部材及び前記第２ストレーナ部材は、流体的に分離された構造を有し、前記第１ストレーナ部材は前記ホースセクションの前記他方の端部に連結するよう構成して、前記第１及び第２の流体入口が前記ホースセクションの長手方向軸線に沿って隣接するよう配置し、また前記第１及び第２の流体出口が前記ホースセクションの前記他方の端部に流体的に接続可能な複合出口インタフェースをなす少なくとも２段式ストレーナ構成を形成する、該吸引ストレーナと、
を備える。
【０００８】
有利には、前記吸引ストレーナは、さらに、第３流体入口、第３流体通路及び第３流体出口を持ち、前記第１及び第２のストレーナ部材とは流体的に分離された構造を有する、少なくとも第３のストレーナ部材を有し、前記第３ストレーナ部材は、前記ホースセクションの前記他方の端部に接続するよう構成して、前記第１、第２及び第３の流体入口が前記ホースセクションの長手方向軸線に沿って隣接するよう配置し、また前記第１、第２及び第３の流体出口が前記ホースセクションの前記他方の端部に流体的に接続可能な複合出口インタフェースをなす３段式ストレーナ構成を形成することができる。
【０００９】
好適には、前記第１ストレーナ部材は、前記第２ストレーナ部材と嵌合し、前記長手方向軸線に沿って積層体を形成する構成とすることができる。
【００１０】
有利には、前記第２ストレーナ部材は、前記第３ストレーナ部材と嵌合し、前記長手方向軸線に沿って積層体を形成する構成とすることができる。
【００１１】
有利には、前記取付け手段は、前記ホースセクションの内部流体通路内に取り付けるものとすることができる。
【００１２】
好適には、前記取付け手段は、前記ホースセクションの外部に取り付けることができる。
【００１３】
有利には、海水吸引ホースは、さらに、前記ホースセクションの前記取付け手段に固定した少なくとも１個の補助ホースセクションを備えることができる。
【００１４】
好適には、前記補助ホースセクションは、前記吸引ストレーナ及び前記吸引ホースヘッドにも固定することができる。
【００１５】
より好適には、前記補助ホースセクションは、次亜塩素酸塩供給ホースとすることができる。
【００１６】
有利には、前記海水吸引ホースは複数個のホースセクションを有することができる。
【００１７】
有利には、前記海水吸引ホースは複数個の補助ホースセクションを有することができる。
【００１８】
有利には、前記取付け手段は前記ホースセクションのニップルに配置することができる。
【００１９】
好適には、前記取付け手段は前記ホースセクションに溶接することができる。
【００２０】
より好適には、前記保護コーティングは弾性を有することができる。より好適には、前記保護コーティングはゴムとすることができる。
【００２１】
有利には、前記ホースセクションは、さらに、各端部に連結手段を有することができる。好適には、前記連結手段は保護コーティングを有することができる。より好適には、前記ホースセクションは可撓性を有することができる。
【００２２】
本発明の第２態様によれば、海水吸引ホースシステムを提供し、この海水吸引ホースシステムは、
少なくとも１個のケーソンと、
本発明の第１態様による少なくとも１個の海水吸引ホースと、
を備え、前記ケーソンは、前記ホースを懸吊状態に収容し、かつ保持するよう構成する。
【００２３】
有利には、海水吸引ホースシステムは、さらに、前記ケーソンと前記海水吸引ホースとの間におけるケーソンインタフェースを備えることができる。
【００２４】
有利には、前記ケーソンは、組立て中に前記ホースセクションを選択的に固定し得る懸架装置を有することができる。
【００２５】
好適には、前記懸架装置は、現場にあるとき前記ケーソンの頂端部に取外し可能に連結できるものとする、海水吸引ホースシステムことができる。
【００２６】
有利には、前記懸架装置は、前記ホースセクションにロック可能に係合し得るばね動作機構を有することができる。
【００２７】
有利には、前記懸架装置は、さらに、前記ホースセクションの外径間における所定相違を補償するよう構成したホースセクションアダプタを有することができる。
【００２８】
好適には、前記海水吸引ホースシステムはＦＰＳＯ船に取り付けるよう構成することができる。
【００２９】
より好適には、前記海水吸引ホースシステムはＦＰＳＯ船の船殻内に形成するよう構成することができる。
【００３０】
本発明の第３態様によれば、本発明の第２態様による海水吸引ホースシステムを備えるＦＰＳＯ船を提供する。
【００３１】
本発明の第４態様によれば、海水吸引ホースを組み立てる方法を提供し、この方法は、
それぞれが補助ホースセクションを取り付けるための取付け手段を有する、少なくとも２個の海水ホースセクションを準備するステップと、
補助ホースセクションを前記海水ホースセクションそれぞれに取り付けるステップと、
前記補助ホースセクションを互いに連結するステップと、
前記海水ホースセクションを互いに連結するステップと
を有する。
【００３２】
有利には、前記補助ホースセクションは次亜塩素酸塩供給ホースとすることができる。
【００３３】
本発明の第５態様によれば、海水吸引ホースを組み立てる方法を提供し、この方法は、
補助ホースセクションを取り付けるための取付け手段を有する、少なくとも１個の海水ホースセクションを準備するステップと、
補助ホースセクションを前記海水ホースセクションに取り付けるステップと、
吸引ホースヘッドを前記海水ホースセクションの一方の端部に連結するステップと、
吸引ストレーナを前記海水ホースセクションの他方の端部に連結するステップと、
前記補助ホースセクションを前記吸引ストレーナ及び前記吸引ホースヘッドに連結するステップと
を有する。
有利には、前記補助ホースセクションは次亜塩素酸塩供給ホースとすることができる。
【００３４】
本発明の実施形態を以下に単なる例として添付図面につき説明する。
【図面の簡単な説明】
【００３５】
【図１】本発明の第1態様による海水吸引ホースのホースセクションの側面図である。
【図２】図１のホースセクションの縦断面図である。
【図２ａ】図１及び２のホースセクションの部分端面図である。
【図３】図１のホースセクションに使用する吸引ストレーナの側面図である。
【図４】図３の吸引ストレーナの縦断面図である。
【図５】図１のホースセクションに使用する吸引ホースヘッドの側面図である。
【図６】図５の吸引ホースヘッドの縦断面図である。
【図７】ＦＰＳＯ船の船殻におけるケーソン内に設置したケーソンインタフェースの部分縦断面図である。
【図８】本発明の第４態様による海水吸引ホースシステムの側面図である。
【図９】図８の海水吸引ホースシステムの縦断面図である。
【図１０】例えばＦＰＳＯプラットフォーム上におけるケーソン頂部に据え付けて、組付け中に第１導管を取り付ける懸架装置の斜視図である。
【図１１】図１０の懸架装置における一方のばね負荷係合部材を開放した状態を示す斜視図である。
【図１２】３段式のストレーナであって、各ストレーナ段が、個別流体入口、流体通路及び流体出口を有し、すべてのストレーナ出口を組み合わせて第２導管に流体的に接続可能な単一出口インタフェースにする、該３段式ストレーナの概略的断面図である。
【図１３】(a)第１段、(b)第２段及び(c)第３段に分解したときの３個のストレーナ部材の概略図である。
【発明を実施するための形態】
【００３６】
図１及び２は、海水吸引ホースのホースセクション１０を示す。このホースセクションは、両側の端部にフランジ１４を配置して設けた内部流体通路を形成する円筒形のセクション本体１２を有する（フランジ１４は、連結手段の実施例である）。
【００３７】
図２及び２ａにつき説明すると、ホースセクション１０は、さらに、次亜塩素酸塩ホースセクション２０を取り付けるための取付け手段１８を備える（次亜塩素酸塩ホースセクションは、補助ホースセクションの実施例である）。
【００３８】
取付け手段１８は、ホースセクションニップル（言及せず）に隣接してホースセクション１０の内面に溶接する。次亜塩素酸塩ホースセクション２０を固定するのに使用する少なくとも１個の固着孔２２を有する。
【００３９】
ホースセクション１０及び次亜塩素酸塩ホースセクション２０は、可撓性であり、また重量を減少し、耐腐食性を増し、また優れた疲労特性を付与する抗張補強材を有する。取付け手段１８及びフランジ１４は、腐食を防止する保護コーティングを有する。この保護コーティングは、弾性材料、例えばゴムとする。
【００４０】
図３及び４は、ホースセクション１０に使用する吸引ストレーナ２４を示す。吸引ストレーナ２４は、ホースセクション１０に引き込む海水を濾し取る。この吸引ストレーナは、ほぼ円筒形の形状を有し、また吸引ストレーナ２４周りに次亜塩素酸塩を分散するのに使用する次亜塩素酸塩分散アセンブリ２６を装着する。次亜塩素酸塩の分散により吸引ホースシステム及び関連の配管における海洋生物増殖を防止する。吸引ストレーナ２４は、さらに、ストレーナ２４をホースセクション１０に連結するのに使用するフランジ２８を有する。
【００４１】
図５及び６は、ホースセクション１０に使用する吸引ホースヘッド３０を示す。吸引ホースヘッド３０（以下「ヘッド」と略称する場合がある）は、ホースセクション１０と海水吸引ホースシステムのケーソンとの間のインタフェースをなす。ヘッド３０は、ケーソンインタフェースの雌型円錐形着座部に整合する雄型円錐形着座部３２を有し、吸引ホースが下方に移動するのを防止する（以下参照）。
【００４２】
傾動を防止するため、ヘッド３０は、ケーソンインタフェースの内部周縁支持リングに整合する外部上方周縁支持リング３４を有する。
【００４３】
ヘッド３０は、さらに、ホースセクション１０に連結するのに使用するフランジ３６を有する。ヘッド３０は、さらに、次亜塩素酸塩ホースアセンブリ３８を有する。さらに、展開／回収ツールに係合するための係合手段４０を設ける（以下参照）。図７は、ＦＰＳＯ船の船殻におけるケーソン４４内に設置するケーソンインタフェース４２の部分縦断面図を示す。ケーソンインタフェース４２は、吸引ホースヘッド３０の雄型円錐形着座部３２に整合する雌型円錐形着座部４６を有し、ヘッド３０を心出しする。ケーソンインタフェース４２は、さらに、吸引ホースヘッド３０の外部上方周縁支持リング３４に整合する内部周縁支持リング４８を有する。
【００４４】
図８及び９は、ＦＰＳＯのケーソン４４におけるケーソンインタフェース４２から懸吊状態に保持される組み立てた海水ホース５０を示す。ホース５０は、複数個のホースセクション１０と、吸引ストレーナ２４と、吸引ホースヘッド３０とを有する。海水ホース５０及びケーソン４４は、海水吸引ホースシステムを形成する。
【００４５】
海水ホース５０の組み立ては、従来のやり方で、すなわち、ケーソン４４の頂部で各ホースセクション１０を懸吊するとともに、順次のホースセクション１０をこれに取り付けることによって行う。ホースセクション１０はフランジ１４で互いにボルト連結する。
【００４６】
とくに、次亜塩素酸塩ホースセクション２０は、ホースセクション１０の組立て前に各ホースセクション１０の取付け手段１８に取り付ける。組立て中、上側及び下側のホースセクション１０を連結する前に、下側ホースセクション１０の次亜塩素酸塩ホースセクション２０を先ず上側ホースセクション１０の次亜塩素酸塩ホースセクション２０に連結する。この結果、連続した次亜塩素酸塩ホースが組み立てたホース５０の全長にわたり延在する。ホースセクション１０の連結をより安全にするため、安全カラー（図示せず）を設け、この安全カラーを下側のホースセクション１０に連結するとともに、下側及び上側のホースセクション１０における次亜塩素酸塩ホースセクション２０を互いに連結することができる。次亜塩素酸塩ホースセクション２０を連結した後に、安全カラーを取り外し、また上述したように、ホースセクション１０を互いにボルト連結する。
【００４７】
吸引ストレーナ２４は、ケーソン４４内に挿入する前に、第１ホースセクション１０の下側自由端に連結すること勿論である。第１ホースセクション１０内の次亜塩素酸塩ホースセクション２０は、ストレーナ２４をホースセクション１０にボルト連結する前に、ストレーナ２４の次亜塩素酸塩分散アセンブリ２６に連結する。
【００４８】
吸引ホースヘッド３０は、最後の上側ホースセクション１０に連結する。最後のホースセクション１０内の次亜塩素酸塩ホースセクション２０は、ヘッドをホースセクション１０にボルト連結する前に、ヘッド３０の次亜塩素酸塩ホースアセンブリ３８に連結する。
【００４９】
海水ホース５０は、従来のやり方で展開／回収ツール（図示せず）によってケーソン４４内に対して降下及び上昇させることができる。
【００５０】
海水ホース５０は、従来のやり方で、すなわち、ケーソン４４の頂部に向けてホース５０を持ち上げ、また上述の組立てステップを逆にして分解する。
【００５１】
したがって、ホースセクション１０は、補助ホースセクション２０を取り付けるための取付け手段１８を設けることによって、従来提案の幾つかの件を回避又は軽減する。取付け手段１８を有するホースセクション１０を設けることは、次亜塩素酸塩供給ラインを支持するため、海水吸引ホースの各ホースセクション間に設けるホースアダプタの必要性を排除する。複数個のホースセクション１０から構成される海水吸引ホース５０は、増加した耐用寿命、増大した信頼性を有し、また、ホース５０の組み立てを一層簡単にする。ホースアダプタを排除することによって、以下の利点が得られる。すなわち、
・海水に露出する海中スチール製コンポーネントの数を大幅に減らし、したがって、コストを減少し、また潜在的な腐食の可能性を最小限にする。
・設置中にホースアダプタに塗布した保護コーティングに対する損傷のリスクがない。ケーソン内での組立ては「手探り」であるため、保護コーティングの損傷は、ホースを点検する又は故障が発覚するまでは認識されない。
・陰極防食のレベルが減少する。
・フランジ付き継手の数を大幅に減少し、したがって、潜在的漏洩ポイントを最小限にする。
・ホース５０の内部ボアは滑らかであり、すなわち、内部陽極が存在しない。このことは、ホース５０にわたる圧力損失を減少する。
【００５２】
本発明の範囲から逸脱することなく、上述のことに対して変更及び改良を加えることができる。例えば、取付け手段１８は、ホースセクション１０の内面に配置するものとして図示及び上述したが、取付け手段１８はホースセクション１０の外面に配置できると理解されたい。
【００５３】
さらに、各ホースセクション１０は、単独の取付け手段１８を有するものとして上述したが、各ホースセクション１０は、当然のことながら、ホースセクション１０内／外の種々の位置に２個以上の取付け手段を配置して設けることができる。さらに、海水吸引ホース５０はＦＰＳＯ船の船殻におけるケーソン４４内に設置するものとして図示及び上述したが、当然のことながら、海水ホース５０は、ＦＰＳＯ船の側面に配置したケーソンに設置することができる。
【００５４】
取付け手段１８は次亜塩素酸塩ラインを固定するのに使用する少なくとも１個の固着孔２２に設けるものとして図示及び上述したが、当然のことながら、取付け手段は、次亜塩素酸塩供給ラインをホースセクション１０に取り付けるのに適した任意の手段を有することができる。
【００５５】
図１０及び１１は、懸架装置又は懸架ツール２４４の使用時及びケーソン頂部に取り付けたとき（図１０）、及び開放した離脱状態における（図１１）別個の実体としてのより詳細な図を示す。懸架装置又は懸架ツール２４４は、マウント２５２に動作可能に連結した２個のばね負荷係合部材２４８，２５０を有する。マウント２５２はケーソン４４の頂部に取り付けるよう構成する。懸架装置又は懸架ツール２４４のばね機構は、組付け中にホースセクション１０を固定するため、すなわち、導管列を懸吊しつつ、他の導管セクションを接続するよう構成する。懸架装置又は懸架ツール２４４は、従来の油圧懸架ツールよりも重量が軽量かつコンパクトであり、したがって、空間が限定される領域での据付けを可能にする。
【００５６】
これに加えて、図１０は、さらに、例えば、次亜塩素酸塩流体を供給するための、ホースセクション１０の内部流体通路内に設置する２個の補助流体ライン１４６，１４８を有する、ホースセクション１０の一部も示す。２個の補助流体ライン１４６，１４８は、例えば、ストレーナ２４，１１８の頂部に導入し、この頂部でこれら補助流体ライン１４６，１４８を別個の分散リング（図示せず）に接続し、より濃縮した／高い分量の次亜塩素酸塩がホースセクション１０列の内部通路に流動できるようにする。これに加えて、２個の個別補助流体ライン１４６，１４８を設けることによれば、増加した流体量を供給する、及び冗長性を持たせる。
【００５７】
図１２及び１３は、ホースセクションの端部セクションに流体的に接続可能な吸引ストレーナ１１８の他の実施形態を示す。ストレーナ１１８は、３個の流体的に分離された構造を有するストレーナ部材、すなわち、第１ストレーナ部材１２０、第２ストレーナ部材１２２、第３ストレーナ部材１２４から構成し、これらストレーナ部材は３段式のストレーナ１１８として組み合わせることができる。ストレーナ部材１２０，１２２，１２４それぞれは、流体的に個別の入口セクション１２６，１２８，１３０、流体通路１３２，１３４，１３６、及び出口１３８，１４０，１４２を有する。ストレーナ部材１２０，１２２，１２４は、第２ストレーナ部材１２２を第３ストレーナ部材１２４上に整合させて積み重ね、また第１ストレーナ部材１２０を第２ストレーナ部材１２２上に整合させて積み重ねることができるように形成する。組み付けたとき、３つの出口１３８，１４０，１４２がホースセクション１０に流体的に接続可能な複合インタフェース１４４を形成する。使用中、流体は、３つすべての入口セクション１２６，１２８，１３０を経て、流体通路１３２，１３４，１３６を個別に通過するよう流動し、複合した出口１３８，１４０，１４２から流出し、ホースセクション１０の内部流体通路内に流入する。
【００５８】
当業者には、上述の実施形態は単に実施例としてのみ記載し、限定的意味はないものであり、また種々の代替的実施例及び変更例も、特許請求の範囲で定義した本発明の範囲逸脱することなく可能であること、明らかであろう。
【符号の説明】
【００５９】
１０    ホースセクション
１２    セクション本体１２
１４    フランジ
１８    取付け手段
２０    次亜塩素酸塩ホースセクション
２４    吸引ストレーナ
２６    次亜塩素酸塩分散アセンブリ
２８    フランジ
３０    吸引ホースヘッド
３２    雄型円錐形着座部
３４    外部上方周縁支持リング
３６    フランジ
３８    次亜塩素酸塩ホースアセンブリ
４０    係合手段
４２    ケーソンインタフェース
４４    ケーソン
４６    雌型円錐形着座部
４８    内部周縁支持リング
５０    海水ホース
１１８    ストレーナ
１２０    第１ストレーナ部材
１２２    第２ストレーナ部材
１２４    第３ストレーナ部材
１２６    入口セクション
１２８    入口セクション
１３０    入口セクション
１３２    流体通路
１３４    流体通路
１３６    流体通路
１３８    出口
１４０    出口
１４２    出口
１４４    複合インタフェース
１４６    補助流体ライン
１４８    補助流体ライン
２４４    懸架装置又は懸架ツール
２４８    ばね負荷係合部材
２５０    ばね負荷係合部材
２５２    マウント
【図１】
2017532504.tif 000003
【図２】
2017532504.tif 000004
【図２ａ】
2017532504.tif 000005
【図３】
2017532504.tif 000006
【図４】
2017532504.tif 000007
【図５】
2017532504.tif 000008
【図６】
2017532504.tif 000009
【図７】
2017532504.tif 000010
【図８】
2017532504.tif 000011
【図９】
2017532504.tif 000012
【図１０】
2017532504.tif 000013
【図１１】
2017532504.tif 000014
【図１２】
2017532504.tif 000015
【図１３（ａ）】
2017532504.tif 000016
【図１３（ｂ）】
2017532504.tif 000017
【図１３（ｃ）】
2017532504.tif 000018
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
海水吸引ホースにおいて、
補助ホースセクション（２０）を取り付けるための複数個の取付け手段（１８）を有する少なくとも１個のホースセクション（１０）であって、前記取付け手段を前記ホースセクションの端部に隣接して配置し、各取付け手段は、前記補助ホースセクションを取り付けるための少なくとも１個の固着孔を有するものとし、前記複数個の取付け手段のそれぞれは、保護コーティングを有するものとする、該少なくとも１個のホースセクション（１０）と、
前記ホースセクションの一方の端部に連結する吸引ホースヘッド（３０）と、
前記ホースセクションの他方の端部に連結する吸引ストレーナ（１１８）であって、さらに、第１流体入口（１２６）、第１流体通路（１３２）及び第１流体出口（１３８）を持つ少なくとも第１ストレーナ部材（１２０）と、並びに第２流体入口（１２８）、第２流体通路（１３４）及び第２流体出口（１４０）を持つ第２ストレーナ部材（１２２）と、を有し、前記第１ストレーナ部材及び前記第２ストレーナ部材は、流体的に分離された構造を有し、前記吸引ストレーナ（１１８）は前記ホースセクションの前記他方の端部に連結するよう構成して、前記第１及び第２の流体入口が前記ホースセクションの長手方向軸線に沿って隣接するよう配置し、また前記第１及び第２の流体出口が前記ホースセクションの前記他方の端部に流体的に接続可能な複合出口インタフェースをなす少なくとも２段式ストレーナ構成を形成し、また前記第１ストレーナ部材は前記第２ストレーナ部材と嵌合して前記長手方向軸線に沿って積層体を形成する構成とする、該吸引ストレーナ（１１８）と、
を備える、海水吸引ホース。
【請求項２】
請求項１記載の海水吸引ホースにおいて、前記吸引ストレーナは、さらに、第３流体入口、第３流体通路及び第３流体出口を持ち、前記第１及び第２のストレーナ部材とは流体的に分離された構造を有する、少なくとも第３のストレーナ部材を有し、前記第３ストレーナ部材は、前記ホースセクションの前記他方の端部に接続するよう構成して、前記第１、第２及び第３の流体入口が前記ホースセクションの長手方向軸線に沿って隣接するよう配置し、また前記第１、第２及び第３の流体出口が前記ホースセクションの前記他方の端部に流体的に接続可能な複合出口インタフェースをなす３段式ストレーナ構成を形成する、海水吸引ホース。
【請求項３】
請求項２記載の海水吸引ホースにおいて、前記第２ストレーナ部材は、前記第３ストレーナ部材と嵌合し、前記長手方向軸線に沿って積層体を形成する構成とする、海水吸引ホース。
【請求項４】
請求項１〜３のうちいずれか一項記載の海水吸引ホースにおいて、前記取付け手段は、前記ホースセクションの内部流体通路内に取り付けるものとする、海水吸引ホース。
【請求項５】
請求項１〜３のうちいずれか一項記載の海水吸引ホースにおいて、前記取付け手段は、前記ホースセクションの外部に取り付ける、海水吸引ホース。
【請求項６】
請求項１〜５のうちいずれか一項記載の海水吸引ホースにおいて、さらに、前記ホースセクションの前記取付け手段に固定した少なくとも１個の補助ホースセクションを備える、海水吸引ホース。
【請求項７】
請求項６記載の海水吸引ホースにおいて、前記補助ホースセクションは、前記吸引ストレーナ及び前記吸引ホースヘッドにも固定する、海水吸引ホース。
【請求項８】
請求項６又は７記載の海水吸引ホースにおいて、前記補助ホースセクションは、次亜塩素酸塩供給ホースとする、海水吸引ホース。
【請求項９】
請求項１〜８のうちいずれか一項記載の海水吸引ホースにおいて、前記海水吸引ホースは複数個のホースセクションを有する、海水吸引ホース。
【請求項１０】
請求項１〜５のうちいずれか一項記載の海水吸引ホースにおいて、前記海水吸引ホースは複数個の補助ホースセクションを有する、海水吸引ホース。
【請求項１１】
請求項１〜１０のうちいずれか一項記載の海水吸引ホースにおいて、前記取付け手段は前記ホースセクションのニップルに配置する、海水吸引ホース。
【請求項１２】
請求項１〜１１のうちいずれか一項記載の海水吸引ホースにおいて、前記取付け手段は前記ホースセクションに溶接する、海水吸引ホース。
【請求項１３】
請求項１〜１２のうちいずれか一項記載の海水吸引ホースにおいて、前記保護コーティングは弾性を有する、海水吸引ホース。
【請求項１４】
請求項１〜１３のうちいずれか一項記載の海水吸引ホースにおいて、前記保護コーティングはゴムとする、海水吸引ホース。
【請求項１５】
請求項１〜１４のうちいずれか一項記載の海水吸引ホースにおいて、前記ホースセクションは、さらに、各端部に連結手段（１４）を有する、海水吸引ホース。
【請求項１６】
請求項１５記載の海水吸引ホースにおいて、前記連結手段は保護コーティングを有する、海水吸引ホース。
【請求項１７】
請求項１〜１６のうちいずれか一項記載の海水吸引ホースにおいて、前記ホースセクションは可撓性を有する、海水吸引ホース。
【請求項１８】
海水吸引ホースシステムにおいて、
少なくとも１個のケーソン（４４）と、
請求項１〜１７のうちいずれか一項記載の少なくとも１個の海水吸引ホースと、
を備え、前記ケーソンは、前記ホースを懸吊状態に収容し、かつ保持するよう構成する、海水吸引ホースシステム。
【請求項１９】
請求項１８記載の海水吸引ホースシステムにおいて、さらに、前記ケーソンと前記海水吸引ホースとの間におけるケーソンインタフェースを備える、海水吸引ホースシステム。
【請求項２０】
請求項１８又は１９記載の海水吸引ホースシステムにおいて、前記ケーソンは、組立て中に前記ホースセクションを選択的に固定し得る懸架装置（２４４）を有する、海水吸引ホースシステム。
【請求項２１】
請求項２０記載の海水吸引ホースシステムにおいて、前記懸架装置は、現場にあるとき前記ケーソンの頂端部に取外し可能に連結できるものとする、海水吸引ホースシステム。
【請求項２２】
請求項２０又は２１記載の海水吸引ホースシステムにおいて、前記懸架装置は、前記ホースセクションにロック可能に係合し得るばね動作機構を有する、海水吸引ホースシステム。
【請求項２３】
請求項２０〜２２のうちいずれか一項記載の海水吸引ホースシステムにおいて、前記懸架装置は、さらに、前記ホースセクションの外径間における所定相違を補償するよう構成したホースセクションアダプタ（２４８，２５０）を有する、海水吸引ホースシステム。
【請求項２４】
請求項１８〜２３のうちいずれか一項記載の海水吸引ホースシステムにおいて、前記海水吸引ホースシステムはＦＰＳＯ船に取り付けるよう構成する、海水吸引ホースシステム。
【請求項２５】
請求項１８〜２４のうちいずれか一項記載の海水吸引ホースシステムにおいて、前記海水吸引ホースシステムはＦＰＳＯ船の船殻内に形成するよう構成する、海水吸引ホースシステム。
【請求項２６】
請求項１８〜２５のうちいずれか一項記載の海水吸引ホースシステムを備える、ＦＰＳＯ船。
【請求項２７】
請求項１〜１７のうちいずれか一項記載の海水吸引ホースを組み立てる方法において、
補助ホースセクションを取り付けるための取付け手段を有する、少なくとも１個の海水ホースセクションを準備するステップと、
補助ホースセクションを前記海水ホースセクションに取り付けるステップと、
吸引ホースヘッドを前記海水ホースセクションの一方の端部に連結するステップと、
吸引ストレーナ（１１８）を前記海水ホースセクションの他方の端部に連結するステップと、
前記補助ホースセクションを前記吸引ストレーナ及び前記吸引ホースヘッドに連結するステップと
を有する、方法。
【請求項２８】
請求項２７記載の海水吸引ホースを組み立てる方法において、前記補助ホースセクションは次亜塩素酸塩供給ホースとする、方法。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
海水吸引ホースにおいて、
補助ホースセクション（２０）を取り付けるための複数個の取付け手段（１８）を有する少なくとも１個のホースセクション（１０）であって、前記取付け手段を前記ホースセクションの端部に隣接して配置し、各取付け手段は、前記補助ホースセクションを取り付けるための少なくとも１個の固着孔を有するものとし、前記複数個の取付け手段のそれぞれは、保護コーティングを有する、該少なくとも１個のホースセクション（１０）と、
前記ホースセクションの一方の端部に連結する吸引ホースヘッド（３０）と、
前記ホースセクションの他方の端部に連結する吸引ストレーナ（１１８）であって、さらに、第１流体入口（１２６）、第１流体通路（１３２）及び第１流体出口（１３８）を持つ少なくとも第１ストレーナ部材（１２０）と、並びに第２流体入口（１２８）、第２流体通路（１３４）及び第２流体出口（１４０）を持つ第２ストレーナ部材（１２２）と、を有し、前記第１ストレーナ部材及び前記第２ストレーナ部材は、流体的に分離された構造を有し、前記吸引ストレーナ（１１８）は前記ホースセクションの前記他方の端部に連結するよう構成して、前記第１及び第２の流体入口が前記ホースセクションの長手方向軸線に沿って隣接するよう配置し、また前記第１及び第２の流体出口が前記ホースセクションの前記他方の端部に流体的に接続可能な複合出口インタフェースをなす少なくとも２段式ストレーナ構成を形成し、また前記第１ストレーナ部材は前記第２ストレーナ部材と嵌合して前記長手方向軸線に沿って積層体を形成する構成とする、該吸引ストレーナ（１１８）と、
を備える、海水吸引ホース。
【請求項２】
請求項１記載の海水吸引ホースにおいて、前記吸引ストレーナは、さらに、第３流体入口、第３流体通路及び第３流体出口を持ち、前記第１及び第２のストレーナ部材とは流体的に分離された構造を有する、少なくとも第３のストレーナ部材を有し、前記第３ストレーナ部材は、前記ホースセクションの前記他方の端部に接続するよう構成して、前記第１、第２及び第３の流体入口が前記ホースセクションの長手方向軸線に沿って隣接するよう配置し、また前記第１、第２及び第３の流体出口が前記ホースセクションの前記他方の端部に流体的に接続可能な複合出口インタフェースをなす３段式ストレーナ構成を形成し、また前記第２ストレーナ部材は前記第３ストレーナ部材と嵌合して前記長手方向軸線に沿って積層体を形成する構成とする、海水吸引ホース。
【請求項３】
請求項１又は２記載の海水吸引ホースにおいて、前記取付け手段は、前記ホースセクションの内部流体通路内に取り付けるものとする、海水吸引ホース。
【請求項４】
請求項１又は２記載の海水吸引ホースにおいて、前記取付け手段は、前記ホースセクションの外部に取り付ける、海水吸引ホース。
【請求項５】
請求項１〜４のうちいずれか一項記載の海水吸引ホースにおいて、さらに、前記ホースセクションの前記取付け手段に固定した少なくとも１個の補助ホースセクションを備え、また前記補助ホースセクションは、前記吸引ストレーナ及び前記吸引ホースヘッドにも固定する次亜塩素酸塩供給ホースとする、海水吸引ホース。
【請求項６】
請求項１〜５のうちいずれか一項記載の海水吸引ホースにおいて、前記ホースセクションは、さらに、各端部に連結手段（１４）を有する、海水吸引ホース。
【請求項７】
請求項６記載の海水吸引ホースにおいて、前記連結手段は保護コーティングを有する、海水吸引ホース。
【請求項８】
海水吸引ホースシステムにおいて、
少なくとも１個のケーソン（４４）と、
請求項１〜７のうちいずれか一項記載の少なくとも１個の海水吸引ホースと、
を備え、前記ケーソンは、前記ホースを懸吊状態に収容し、かつ保持するよう構成する、海水吸引ホースシステム。
【請求項９】
請求項８記載の海水吸引ホースシステムにおいて、さらに、前記ケーソンと前記海水吸引ホースとの間におけるケーソンインタフェースを備える、海水吸引ホースシステム。
【請求項１０】
請求項８又は９記載の海水吸引ホースシステムにおいて、前記ケーソンは、組立て中に前記ホースセクションを選択的に固定し得る懸架装置（２４４）を有する、海水吸引ホースシステム。
【請求項１１】
請求項１０記載の海水吸引ホースシステムにおいて、前記懸架装置は、現場にあるとき前記ケーソンの頂端部に取外し可能に連結できるものとする、海水吸引ホースシステム。
【請求項１２】
請求項１０又は１１記載の海水吸引ホースシステムにおいて、前記懸架装置は、前記ホースセクションにロック可能に係合し得るばね動作機構を有する、海水吸引ホースシステム。
【請求項１３】
請求項１０〜１２のうちいずれか一項記載の海水吸引ホースシステムにおいて、前記懸架装置は、さらに、前記ホースセクションの外径間における所定相違を補償するよう構成したホースセクションアダプタ（２４８，２５０）を有する、海水吸引ホースシステム。
【請求項１４】
請求項８〜１３のうちいずれか一項記載の海水吸引ホースシステムを備える、ＦＰＳＯ船。
【請求項１５】
請求項１〜７のうちいずれか一項記載の海水吸引ホースを組み立てる方法において、
補助ホースセクションを取り付けるための取付け手段を有する、少なくとも１個の海水ホースセクションを準備するステップと、
補助ホースセクションを前記海水ホースセクションに取り付けるステップと、
吸引ホースヘッドを前記海水ホースセクションの一方の端部に連結するステップと、
吸引ストレーナ（１１８）を前記海水ホースセクションの他方の端部に連結するステップと、
前記補助ホースセクションを前記吸引ストレーナ及び前記吸引ホースヘッドに連結するステップと
を有する、方法。
【国際調査報告】
2017532504.tif 000019
2017532504.tif 000020